(57)【要約】【課題】店舗側とユーザ側の両方に負担をかけることなく、配信した電子クーポンの効果を高め、その効果を定量的に把握することができる広告配信装置を提供する。【解決手段】電子クーポンを端末装置に配信する広告配信装置であって、非アクティブな電子クーポンを受信した端末装置の現在位置を示す位置情報を取得する位置情報取得部と、前記位置情報に基づいて、前記端末装置の現在位置が特定の場所から所定の範囲である切替領域に到達したか否かを判定する到達判定部と、前記端末装置の現在位置が前記切替領域に到達したと判定された場合、前記非アクティブな電子クーポンをアクティブな電子クーポンに切替えた電子クーポンを前記端末装置に配信する切替部を有する。【選択図】図１
2020008900.tif 000002
【特許請求の範囲】
【請求項１】
電子クーポンを端末装置に配信する広告配信装置であって、
非アクティブな電子クーポンを受信した端末装置の現在位置を示す位置情報を取得する位置情報取得部と、
前記位置情報に基づいて、前記端末装置の現在位置が特定の場所から所定の範囲である切替領域に到達したか否かを判定する到達判定部と、
前記端末装置の現在位置が前記切替領域に到達したと判定された場合、前記非アクティブな電子クーポンをアクティブな電子クーポンに切替えた電子クーポンを前記端末装置に配信する切替部
を有する広告配信装置。
【請求項２】
前記切替部により前記非アクティブな電子クーポンが切替えられた場合、当該切替えられた電子クーポンが配信された日時を特定する配信時期特定部
を更に有する請求項１に記載の広告配信装置。
【請求項３】
前記到達判定部は、前記位置情報に基づいて、前記端末装置が特定の場所に到達したか否かを判定し、
前記端末装置が前記特定の場所に到達したと判定された場合、所定の開始位置から前記端末装置が前記特定の場所に到達するまでの軌跡を軌跡情報記憶部に記憶させる記憶制御部
を更に有する請求項１又は請求項２に記載の広告配信装置。
【請求項４】
前記到達判定部は、前記端末装置が前記特定の場所から離れた位置における前記端末装置の位置の軌跡及び前記特定の場所の位置に基づいて、前記端末装置が前記特定の場所に到達したか否かを推定する
請求項３に記載の広告配信装置。
【請求項５】
アクティブに切替えられた電子クーポンが利用されたか否かを判定する利用判定部
を更に有する請求項１から請求項４の何れか一項に記載の広告配信装置。
【請求項６】
前記端末装置により受信された電子クーポンが利用されたことを示す利用通知を取得する利用情報取得部を更に有し、
前記利用判定部は、前記利用通知に基づいて電子クーポンが利用されたか否かを判定する
請求項５に記載の広告配信装置。
【請求項７】
前記利用情報取得部は、前記広告配信装置にアクセスした前記端末装置を識別に割り当てられるセッションＩＤを含む識別情報と共に表示された電子クーポンが撮像された画像の画像情報を取得し、
前記利用判定部は、前記識別情報から前記セッションＩＤを取得し、取得した前記セッションＩＤに基づいて、当該利用された電子クーポンが配信された日時を特定する
請求項６に記載の広告配信装置。
【請求項８】
電子クーポンを端末装置に配信する広告配信装置の広告配信方法であって、
取得部が、非アクティブな電子クーポンを受信した端末装置の現在位置を示す位置情報を取得し、
判定部が、前記位置情報に基づいて、前記端末装置の現在位置が、特定の場所から所定の範囲である切替領域に到達したか否かを判定し、
切替部が、前記端末装置の現在位置が前記切替領域に到達したと判定された場合、前記非アクティブな電子クーポンをアクティブな電子クーポンに切替えた電子クーポンを前記端末装置に配信する
広告配信方法。
【請求項９】
電子クーポンを端末装置に配信する広告配信装置のコンピュータに、
非アクティブな電子クーポンを受信した端末装置の現在位置を示す位置情報を取得させ、
前記位置情報に基づいて、前記端末装置の現在位置が、特定の場所から所定の範囲である切替領域に到達したか否かを判定させ、
前記切替領域に到達したと判定された場合、前記非アクティブな電子クーポンをアクティブな電子クーポンに切替えた電子クーポンを前記端末装置に配信させる
プログラム。
【発明の詳細な説明】
【技術分野】
【０００１】
本発明は、広告配信装置、広告配信方法、及びプログラムに関する。
【背景技術】
【０００２】
従来、販売促進のツールとして、携帯電話やスマートフォンに、電子広告や電子クーポンを配布するサービスがある。このようなサービスにおいては、店舗側の設備負担を極力抑えるサービスとすることにより、店舗側にとって利用し易いものとする技術がある（例えば、特許文献１〜３参照）。
【０００３】
また、このようなサービスでは、電子クーポンを配布することによる効果を定量的に把握しようとする技術がある。例えば、特許文献１には、一定時間店舗に滞在した端末装置に電子クーポンを配布することにより電子クーポンを配布することによる効果を把握する技術が開示されている。また、特許文献２には、電子クーポンが配布された端末装置とクーポンの利用に関する通信を行うことにより電子クーポンのステータスを管理する技術が開示されている。
【０００４】
また、このようなサービスでは、配布する電子広告の効果を高めようとする技術がある。例えば、特許文献３では、ウェブ広告のアクセス履歴に戻づいて、端末装置の現在位置から店舗までの距離が所定距離以下である場合に、かかる店舗において所定の商品が販売される旨を通知する。
【先行技術文献】
【特許文献】
【０００５】
【特許文献１】特開２０１４−０９６１１２号公報
【特許文献２】特開２０１４−２０６７７６号公報
【特許文献３】特開２０１４−０３２５６７号公報
【発明の概要】
【発明が解決しようとする課題】
【０００６】
しかしながら、電子クーポンを配布することによる効果を定量的に把握しようとすると、電子クーポンを利用するユーザ側に負担がかかってしまう場合がある。具体的には、特許文献１ではユーザが電子クーポンを取得するために一定時間店舗に滞在しなければならない。また、特許文献２ではユーザが電子クーポンを利用する意思があるかを回答して送信しなければならないため、ユーザに負担を感じさせてしまう可能性がある。
また、特許文献３においては、ユーザの状況に関わらず一方的に通知がなされてしまう。このため、ユーザが急いでいる、或いは他の用事がある場合などにも通知がなされることになり、ユーザにとって迷惑となる可能性がある。
【０００７】
本発明は、このような状況に鑑みてなされたもので、店舗側とユーザ側の両方に負担をかけることなく、配信した電子クーポンの効果を高め、その効果を定量的に把握することができる広告配信装置、広告配信方法、及びプログラムを提供する。
【課題を解決するための手段】
【０００８】
本発明の一実施形態に係る広告配信装置は、電子クーポンを端末装置に配信する広告配信装置であって、非アクティブな電子クーポンを受信した端末装置の現在位置を示す位置情報を取得する位置情報取得部と、前記位置情報に基づいて、前記端末装置の現在位置が特定の場所から所定の範囲である切替領域に到達したか否かを判定する到達判定部と、前記端末装置の現在位置が前記切替領域に到達したと判定された場合、前記非アクティブな電子クーポンをアクティブな電子クーポンに切替えた電子クーポンを前記端末装置に配信する切替部を有することを特徴とする。
【０００９】
本発明の一実施形態に係る広告配信方法は、電子クーポンを端末装置に配信する広告配信装置の広告配信方法であって、取得部が、非アクティブな電子クーポンを受信した端末装置の現在位置を示す位置情報を取得し、判定部が、前記位置情報に基づいて、前記端末装置の現在位置が、特定の場所から所定の範囲である切替領域に到達したか否かを判定し、切替部が、前記端末装置の現在位置が前記切替領域に到達したと判定された場合、前記非アクティブな電子クーポンをアクティブな電子クーポンに切替えることを特徴とする。
【００１０】
本発明の一実施形態に係るプログラムは、電子クーポンを端末装置に配信する広告配信装置のコンピュータに、非アクティブな電子クーポンを受信した端末装置の現在位置を示す位置情報を取得させ、前記位置情報に基づいて、前記端末装置の現在位置が、特定の場所から所定の範囲である切替領域に到達したか否かを判定させ、前記切替領域に到達したと判定された場合、前記非アクティブな電子クーポンをアクティブな電子クーポンに切替えた電子クーポンを前記端末装置に配信させることを特徴とする。
【発明の効果】
【００１１】
本発明によれば、店舗側とユーザ側の両方に負担をかけることなく、配信した電子クーポンの効果を高め、その効果を定量的に把握することができる。
【図面の簡単な説明】
【００１２】
【図１】第１の実施形態に係る広告配信システム１の構成例を示すブロック図である。
【図２】第１の実施形態に係る配信情報記憶部３０１に記憶される情報の構成例を示す図である。
【図３】第１の実施形態に係る切替情報記憶部３０２に記憶される情報の構成例を示す図である。
【図４】第１の実施形態に係る利用情報記憶部３０３に記憶される情報の構成例を示す図である。
【図５】第１の実施形態に係る端末装置１０に表示される画像の例を示す図である。
【図６】第１の実施形態に係る端末装置１０に表示される画像の例を示す図である。
【図７】第１の実施形態に係る広告配信装置２０が行う動作を示すフローチャートである。
【図８】第２の実施形態に係る広告配信システム１Ａの構成例を示すブロック図である。
【図９】第２の実施形態に係る集計サーバ３０に記憶される情報の構成例を示す図である。
【図１０】第２の実施形態に係る広告配信装置２０Ａが行う処理を説明する図である。
【図１１】第２の実施形態に係る広告配信装置２０Ａが行う動作を示すフローチャートである。
【図１２】実施形態に係る広告配信システム１（１Ａ）が行う動作を示すシーケンスチャートである。
【発明を実施するための形態】
【００１３】
以下、実施形態の広告配信装置２０が適用される広告配信システム１を、図面を参照しながら説明する。
【００１４】
＜第１の実施形態＞
まず、第１の実施形態について説明する。
図１は、第１の実施形態に係る広告配信システム１の構成例を示すブロック図である。広告配信システム１は、例えば、端末装置１０（端末装置１０−１〜１０−Ｎ、Ｎは任意の自然数）、広告配信装置２０、集計サーバ３０および通信ネットワーク４０を有する。端末装置１０、広告配信装置２０、及び集計サーバ３０の各々は、通信ネットワーク４０を介して互いに通信可能である。
【００１５】
端末装置１０は、例えば、電子クーポンを利用するユーザが所有する携帯端末や、スマートフォンである。端末装置１０は、ユーザの操作等により、ウェブブラウザを介して特定のＵＲＬ（Ｕｎｉｆｏｒｍ  Ｒｅｓｏｕｒｃｅ  Ｌｏｃａｔｏｒ）にアクセスされることで、店舗が開設するウェブサイトなどで展開するキャンペーンサイトや、店舗までの経路を示すナビゲーションサイト（以下、オウンドメディアコンテンツともいう）を表示する。ここで、オウンドメディアコンテンツには、電子クーポンを端末装置に配信するサービスの提供が含まれる。つまり、オウンドメディアコンテンツは、「配信サービス」の一例である。また、ここでの電子クーポンには、提示することで所定のサービスが得られる所謂クーポンの他、くじ引き当選型コンテンツ、クイズ当選型コンテンツ、来店スタンプカードなどを含む。くじ引き当選型コンテンツは、サイトに掲載されたクジを引くことで、引き当てたクジに相当するサービスが得られるものである。クイズ当選型コンテンツは、サイトに掲載されたクイズに答えることで、答えに相当するサービスが得られるものである。来店スタンプカードは、提示することでスタンプを取得することができ、貯まったスタンプの数に応じたサービスが得られるものである。
【００１６】
端末装置１０は、オウンドメディアコンテンツにアクセスし、ユーザにより所定の操作がなされることにより、電子クーポンを取得する。ここでの所定の操作とは、例えば、電子クーポンを取得するためのリンク先がクリックされる等の操作である。また、ここで端末装置１０に配信される電子クーポンは、広告配信装置２０から配信される非アクティブな電子クーポンである。ここでの非アクティブな電子クーポンとは、ユーザが利用することができない無効な電子クーポンのことである。
【００１７】
また、端末装置１０は、オウンドメディアコンテンツにアクセスし、ユーザにより所定の操作がなされることにより、ナビサービスを利用する。ここでの所定の操作とは、例えば、ナビサービスを利用するためのナビゲーションサイトへのリンク先がクリックされる等の操作である。ここでのナビサービスは、例えば地図上に線や矢印などを示すことにより、端末装置１０の現在位置から店舗までの経路を案内するサービスである。例えば、ユーザが、オウンドメディアコンテンツに表示された店舗を訪問しようする場合に当該ナビサービスを利用することにより、その店舗までの経路を案内してもらうことで、容易に店舗に到達することができる。
【００１８】
また、端末装置１０は、オウンドメディアコンテンツにアクセスしている間、端末装置１０の現在位置を示す位置情報を、端末装置１０のセッションＩＤと共に広告配信装置２０に送信する。ここでのセッションＩＤとは、オウンドメディアコンテンツにアクセス中の端末装置１０に割り当てられる固有の識別情報である。例えば、セッションＩＤは、端末装置１０がオウンドメディアコンテンツにアクセスすることで発行され、一定の期間（例えば、２年）が経過した場合に破棄される。
【００１９】
また、端末装置１０は、オウンドメディアコンテンツにアクセスしている間に、店舗から所定の距離の範囲内に到達した場合、アクティブに切替えられた電子クーポンを取得する。ここでのアクティブな電子クーポンとは、ユーザが利用することができる有効な電子クーポンのことである。
【００２０】
また、端末装置１０は、オウンドメディアコンテンツを参照している間、ユーザにより所定の操作がなされることにより、アクティブな電子クーポンを利用することができる。ここでの所定の操作とは、例えば、電子クーポンを利用するためのリンク先がクリックされる等の操作である。端末装置１０は、アクティブな電子クーポンを利用した場合、端末装置１０のセッションＩＤと共に電子クーポンを利用した旨を示す情報を、広告配信装置２０に送信する。
【００２１】
広告配信装置２０は、端末装置１０に電子クーポンを配布する。広告配信装置２０は、例えば、配信部２０１、位置情報取得部２０２、到達判定部２０３、切替部２０４、配信時期特定部２０５、利用情報取得部２０６および利用判定部２０７を有する。
【００２２】
配信部２０１は、オウンドメディアコンテンツにアクセスしている端末装置１０から、電子クーポンの取得を要求する旨の通知を受けた場合、端末装置１０に非アクティブな電子クーポンを配信する。配信部２０１は、端末装置１０に非アクティブな電子クーポンを配信した場合、端末装置１０のセッションＩＤと共に、配信した電子クーポンの種別、配布した日時等を示す配信情報を、集計サーバ３０の配信情報記憶部３０１に記憶させる。
【００２３】
また、配信部２０１は、オウンドメディアコンテンツにアクセスしている端末装置１０から、ナビサービスの取得を要求する旨の通知を受けた場合、端末装置１０にナビサービスに関する情報を配信する。配信部２０１は、例えば、端末装置１０の現在位置、店舗の位置、および現在位置から店舗への経路を示す地図情報を、ナビサービスとして端末装置１０に配信する。また、配信部２０１は、端末装置１０の現在位置が移動した場合、地図上の端末装置１０の位置を移動させた地図情報を、端末装置１０に配信する。
【００２４】
位置情報取得部２０２は、オウンドメディアコンテンツにアクセスしている端末装置１０から、端末装置１０の現在位置を示す位置情報を取得する。位置情報取得部２０２は、取得した位置情報を、端末装置１０のセッションＩＤと共に、到達判定部２０３に出力する。
【００２５】
到達判定部２０３は、端末装置１０の現在位置を示す位置情報に基づいて、端末装置１０の現在位置が、特定の店舗の場所から所定の範囲である切替領域に到達したか否かを判定する。到達判定部２０３は、判定結果を切替部２０４に出力する。ここでの特定の店舗は、例えば、端末装置１０に配信した電子クーポンを利用することができる店舗である。
【００２６】
切替部２０４は、到達判定部２０３による判定結果に基づいて、広告配信装置２０が配信した非アクティブな電子クーポンを、アクティブな電子クーポンに切替える。切替部２０４は、端末装置１０が切替領域に到達したと判定された場合、端末装置１０にアクティブな電子クーポンを配信する。これにより、非アクティブな電子クーポンが、アクティブな電子クーポンに切替えられる。切替部２０４は、電子クーポンを切替えた場合、端末装置１０のセッションＩＤと共に、配信した電子クーポンの種別、配布した日時等を示す切替情報を、集計サーバ３０の切替情報記憶部３０２に記憶させる。
【００２７】
配信時期特定部２０５は、切替部２０４により非アクティブな電子クーポンが切替えられた場合、切替えられた電子クーポンが配信された時期を判定する。配信時期特定部２０５は、例えば、到達判定部２０３により電子クーポンが切替えられた場合、当該切替えられた端末装置１０のセッションＩＤを取得する。
【００２８】
セッションＩＤは、電子クーポンが配信された日時から、電子クーポンが切替えられた日時までの間が、長期間（例えば２年）経過していない場合には、同一の識別番号にて管理されるのが通常である。このため、配信時期特定部２０５は、電子クーポンが切替えられた際の通信に用いられたセッションＩＤと同一のセッションＩＤにて配信情報記憶部３０１に記憶される配信情報が、当該切り替えられた電子クーポンが配信された際の情報であるとみなすことができる。
【００２９】
つまり、配信時期特定部２０５は、電子クーポンが切替えられた際の通信に用いられたセッションＩＤに基づいて、集計サーバ３０の配信情報記憶部３０１を参照することにより、切替えられた電子クーポンが配信された時期を判定する。
【００３０】
利用情報取得部２０６は、端末装置１０から、電子クーポンを利用した旨の利用通知を取得する。利用通知には、例えば、セッションＩＤと共に、利用された電子クーポンや、店舗に関する情報が含まれる。
【００３１】
利用判定部２０７は、端末装置１０から取得した利用通知に含まれるセッションＩＤを取得し、取得したセッションＩＤと共に、利用された電子クーポンの種別、利用された日時等を示す利用情報を、集計サーバ３０の利用情報記憶部３０３に記憶させる。この場合、利用判定部２０７は、取得したセッションＩＤに基づいて、配信情報記憶部３０１および切替情報記憶部３０２を参照することにより、利用された電子クーポンが配信された日時やアクティブに切替えられた日時を取得し、取得した情報をセッションＩＤに対応付けて利用情報記憶部３０３に記憶させるようにしてもよい。
【００３２】
或いは、利用情報取得部２０６は、例えば、セッションＩＤを含む識別情報と電子クーポンが撮像された画像の画像情報を取得するようにしてもよい。セッションＩＤを含む識別情報には、セッションＩＤの他、端末装置１０の端末情報、利用日時、および利用時における端末装置１０の位置を示す情報が含まれていてよい。
【００３３】
また、この画像は、店舗側の図示しない端末の撮像機能により撮像されたものであってもよいし、端末装置１０の表示画面に表示され、端末装置１０の図示しない撮像機能により撮像されたものであってもよい。
【００３４】
店舗側の端末により、端末装置１０のセッションＩＤを含む識別情報と電子クーポンが撮像された場合、当該店舗側の装置は、撮像した画像の情報を広告配信装置２０に送信する。利用情報取得部２０６は、取得した画像の情報を、利用判定部２０７に出力する。この場合、利用判定部２０７は、利用情報取得部２０６から取得した画像から、セッションＩＤ、および利用された電子クーポンや、店舗に関する情報を取得する。
【００３５】
集計サーバ３０は、広告配信装置２０により配信され電子クーポンに関する情報を記憶する。集計サーバ３０は、例えば、配信情報記憶部３０１、切替情報記憶部３０２および利用情報記憶部３０３を有する。
配信情報記憶部３０１は、非アクティブな電子クーポンが配信された場合に、配信された電子クーポンに関する配信情報を記憶する。
切替情報記憶部３０２は、アクティブに切替えられた電子クーポンに関する切替情報を記憶する。
利用情報記憶部３０３は、アクティブな電子クーポンが利用された場合に、利用された電子クーポンに関する利用情報を記憶する。
【００３６】
通信ネットワーク４０は、例えば、インターネット、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、プロバイダ装置、無線基地局、専用回線などのうちの一部または全部を含む通信網である。
【００３７】
ここで、配信情報記憶部３０１に記憶される情報について説明する。図２は、第１の実施形態に係る配信情報記憶部３０１に記憶される配信情報の構成例を示す図である。この例に示すように、配信情報記憶部３０１に記憶される情報は、例えば、「セッションＩＤ」、「端末情報」、「配信情報」、「配信日時情報」、および「配信時位置情報」などの項目を有する。
「セッションＩＤ」は、端末装置１０が非アクティブな電子クーポンを取得した際のオウンドメディアコンテンツへのアクセスに対応する端末装置１０を識別する識別情報を示す。
「端末情報」は、セッションＩＤに対応する端末装置１０の情報を示し、例えば、端末が利用するキャリアや、アクセス元のＩＰアドレス等の情報が含まれてよい。
「配信情報」は、広告配信装置２０が配信した非アクティブな電子クーポンに関する情報を示し、例えば、電子クーポンを利用することで得られる特典、対象とする商品、および利用可能な店舗等の情報が含まれてよい。
「配信日時情報」は、広告配信装置２０が端末装置１０に非アクティブな電子クーポンを配信した日時を示す情報である。ここでの日時は、例えば、年月日、および時刻である。
「配信時位置情報」は、広告配信装置２０が非アクティブな電子クーポンを配信した時の端末装置１０の位置を示す情報である。ここでの位置は、例えば、住所や緯度経度によって示される。なお、配信情報記憶部３０１には、この例で示した全ての項目に対応する情報が記憶されていなくともよく、また、例示していない他の情報が記憶されてもよい。
【００３８】
ここで、切替情報記憶部３０２に記憶される切替情報について説明する。図３は、第１の実施形態に係る切替情報記憶部３０２に記憶される情報の構成例を示す図である。この例に示すように、切替情報記憶部３０２に記憶される情報は、例えば、「セッションＩＤ」、「端末情報」、「切替情報」、「切替日時情報」、「切替時位置情報」、「配信日時情報」、および「配信時位置情報」などの項目を有する。
「セッションＩＤ」は、端末装置１０の電子クーポンが切替えられた際のオウンドメディアコンテンツへのアクセスに対応する端末装置１０を識別する識別情報を示す。
「端末情報」は、セッションＩＤに対応する端末装置１０の情報を示し、例えば、端末が利用するキャリアや、アクセス元のＩＰアドレス等の情報が含まれてよい。
「切替情報」は、アクティブに切替えられた電子クーポンに関する情報を示し、例えば、電子クーポンを利用することで得られる特典、対象とする商品、および利用可能な店舗等の情報が含まれてよい。
「切替日時情報」は、広告配信装置２０が端末装置１０にアクティブな電子クーポンを配信した日時を示す情報である。ここでの日時は、例えば、年月日、および時刻である。
「切替時位置情報」は、広告配信装置２０がアクティブな電子クーポンを配信した時の端末装置１０の位置を示す。ここでの位置は、例えば、住所や緯度経度によって示される。
「配信日時情報」は、アクティブに切替えられた電子クーポンが、非アクティブな電子クーポンとして配信された日時を示す。
「配信時位置情報」は、アクティブに切替えられた電子クーポンが、非アクティブな電子クーポンとして配信された時の端末装置１０の位置を示す。なお、切替情報記憶部３０２には、この例で示した全ての項目に対応する情報が記憶されていなくともよく、また、例示していない他の情報が記憶されてもよい。
【００３９】
ここで、利用情報記憶部３０３に記憶される利用情報について説明する。図４は、第１の実施形態に係る利用情報記憶部３０３に記憶される情報の構成例を示す図である。この例に示すように、利用情報記憶部３０３に記憶される情報は、例えば、「セッションＩＤ」、「端末情報」、「利用情報」、「利用日時情報」、「利用時位置情報」、「切替日時情報」、「切替時位置情報」、「配信日時情報」、および「配信時位置情報」などの項目を有する。
「セッションＩＤ」は、電子クーポンが利用された際のオウンドメディアコンテンツへのアクセスに対応する端末装置１０を識別する識別情報を示す。
「端末情報」は、セッションＩＤに対応する端末装置１０の情報を示し、例えば、端末が利用するキャリアや、アクセス元のＩＰアドレス等の情報が含まれてよい。
「利用情報」は、利用された電子クーポンに関する情報を示し、例えば、電子クーポンを利用することで得られる特典、対象とする商品、および利用可能な店舗等の情報が含まれてよい。
「利用日時情報」は、端末装置１０が電子クーポンを利用した日時を示す情報である。ここでの日時は、例えば、年月日、および時刻である。
「利用時位置情報」は、端末装置１０が電子クーポンを利用した時の端末装置１０の位置を示す。ここでの位置は、例えば、住所や緯度経度によって示される。
「切替日時情報」は、利用された電子クーポンが、アクティブな電子クーポンに切替えられた日時を示す。
「切替時位置情報」は、利用された電子クーポンが、アクティブな電子クーポンに切替えられた時の端末装置１０の位置を示す。
「配信日時情報」は、利用された電子クーポンが、非アクティブな電子クーポンとして配信された日時を示す。
「配信時位置情報」は、利用された電子クーポンが、非アクティブな電子クーポンとして配信された時の端末装置１０の位置を示す。なお、利用情報記憶部３０３には、この例で示した全ての項目に対応する情報が記憶されていなくともよく、また、例示していない他の情報が記憶されてもよい。
【００４０】
ここで、広告配信装置２０が行う処理について、図５および図６を用いて説明する。
図５および図６は、第１の実施形態に係る端末装置１０に表示される画像の例を示す図である。
【００４１】
図５（ａ）は端末装置１０がキャンペーンサイトにアクセスしている場合に端末装置１０に表示される画像の例、図５（ｂ）は端末装置１０が非アクティブな電子クーポンを取得した場合に端末装置１０に表示される画像の例、および図５（ｃ）は端末装置１０がアクティブな電子クーポンを取得した場合に端末装置１０に表示される画像の例を示している。
【００４２】
図５（ａ）に示すように、端末装置１０がキャンペーンサイトにアクセスした場合、例えば、そのキャンペーンサイトにおいて、キャンペーンの案内などのメッセージと共に、電子クーポンを取得するための画像１０１が表示される。この例では、電子クーポンを取得するための画像として「クーポンはこちら」と表示した画像１０１を表示させている。この画像１０１が端末装置１０のユーザのクリック操作などにより選択された場合、端末装置１０からの電子クーポンの取得要求を示す通知が、広告配信装置２０に送信される。この通知を受けて、広告配信装置２０は、端末装置１０に非アクティブな電子クーポンを配信する。
【００４３】
図５（ｂ）に示すように、端末装置１０にて電子クーポンを取得する操作が行われた場合、例えば、その取得した電子クーポンを表示するサイトにおいて、クーポンが非アクティブである旨のメッセージを示す画像１０２と共に、非アクティブな電子クーポンの画像１０３が表示される。この例では、クーポンが非アクティブである旨のメッセージとして「ご来店いただけるお客様のみご利用いただけるクーポンです」と表示した画像１０２を表示させると共に、電子クーポンに、非アクティブであることを示すアイコンを重ねて表示させた画像１０３を表示させている。広告配信装置２０は、端末装置１０が店舗のキャンペーンサイトや電子クーポンを表示するサイトにアクセスしている間、定期的又は不定期に、端末装置１０の現在位置の位置情報を取得する。広告配信装置２０は、端末装置１０の現在位置が特定の店舗から所定の範囲内であると判定した場合、その端末装置１０にアクティブな電子クーポンを配信する。
【００４４】
図５（ｃ）に示すように、端末装置１０の現在位置が特定の店舗から所定の範囲内に到達した場合、例えば、電子クーポンを表示するサイトにおいて、アクティブな電子クーポンの画像１０４が表示される。この例では、電子クーポンを利用する特典として「会員ポイントを１０ポイントプレゼント」と表示した画像１０４を表示させている。広告配信装置２０は、端末装置１０により電子クーポンが利用された場合、端末装置１０から電子クーポンの利用を示す利用通知を取得する。或いは、広告配信装置２０は、セッションＩＤを含む識別情報と電子クーポンとが撮像された画像の情報を取得する。
【００４５】
図６（ａ）、（ｂ）は端末装置１０がナビゲーションサイトにアクセスしている場合に端末装置１０に表示される画像の例を示している。図６（ｃ）は、図５（ｃ）と同様に、端末装置１０がアクティブな電子クーポンを取得した場合に端末装置１０に表示される画像の例を示している。
【００４６】
図６（ａ）に示すように、端末装置１０がナビゲーションサイトにアクセスした場合、端末装置１０には地図が表示され、その地図上に端末装置１０の現在位置を示すマーク１１０、店舗の位置を示すマーク１１１、および経路１１２が示される。
図６（ｂ）に示すように、ユーザが端末装置１０に表示されたナビサービスに示される経路に沿って店舗に近づき、端末装置１０の現在位置が店舗から所定の範囲内に到達した場合、電子クーポンの発行を示す画像１１３が表示される。この画像１１３がユーザのクリック操作などにより選択された場合、図６（ｃ）に示す電子される。この通知を受けて、広告配信装置２０は、端末装置１０に非アクティブな電子クーポンを示すサイトが表示される。図６（ｃ）は、図５（ｃ）と同様な画像であるため、その説明を省略する。
【００４７】
ここで、第１の実施形態に係る広告配信装置２０が行う動作について説明する。図７は、第１の実施形態に係る広告配信装置２０が行う動作を示すフローチャートである。
ステップＳ１００：
まず、広告配信装置２０は、端末装置１０からオウンドメディアコンテンツへのアクセスを待つ。
【００４８】
ステップＳ１０１：
広告配信装置２０は、端末装置１０からオウンドメディアコンテンツにアクセスかあった場合、アクセスしてきた端末装置１０に電子クーポンを配信済みであるか否かを判定する。広告配信装置２０は、例えば、端末装置１０からのアクセスを示す通知にセッションＩＤが含まれている場合、そのセッションＩＤに基づいて配信情報記憶部３０１を参照する。広告配信装置２０は、配信情報記憶部３０１に当該セッションＩＤに対応する配信情報が記憶されている場合には、電子クーポンを配信済みであると判定する。広告配信装置２０は、配信情報記憶部３０１に当該セッションＩＤに対応する配信情報が記憶されていない場合には、電子クーポンを配信済みでないと判定する。また、広告配信装置２０は、端末装置１０からのアクセスを示す通知にセッションＩＤが含まれていない場合、電子クーポンを配信済みでないと判定する。
【００４９】
ステップＳ１０２：
広告配信装置２０は、端末装置１０に電子クーポンを配信済みでない場合、アクセスしてきた端末装置１０に対応させたセッションＩＤを発行する。広告配信装置２０は、端末装置１０からのアクセスを示す通知にセッションＩＤが含まれていた場合には、そのセッションＩＤを使用してよい。
ステップＳ１０３：
広告配信装置２０は、端末装置１０から電子クーポンの配信を要求する通知を待つ。
ステップＳ１０４：
広告配信装置２０は、端末装置１０から電子クーポンの配信を要求された場合、端末装置１０に非アクティブな電子クーポンを配信する。
ステップＳ１０５：
広告配信装置２０は、端末装置１０に配信した電子クーポンに関する配信情報を配信情報記憶部３０１に記憶させる。
【００５０】
ステップＳ１０６：
広告配信装置２０は、ステップＳ１０１において、端末装置１０に電子クーポンを配信済みである場合、電子クーポンが非アクティブな状態であるか否かを判定する。広告配信装置２０は、例えば、端末装置１０からのアクセスを示す通知に含まれているセッションＩＤに基づいて、切替情報記憶部３０２を参照する。広告配信装置２０は、切替情報記憶部３０２に当該セッションＩＤに対応する切替情報が記憶されている場合には、電子クーポンは非アクティブでない（アクティブである）と判定する。広告配信装置２０は、切替情報記憶部３０２に当該セッションＩＤに対応する切替情報が記憶されていない場合には、電子クーポンは非アクティブであると判定する。
【００５１】
ステップＳ１０７：
広告配信装置２０は、端末装置１０の位置情報を取得し、取得した位置情報に基づいて、端末装置１０の位置が店舗から所定の範囲内に到達したか否かを判定する。
ステップＳ１０８：
広告配信装置２０は、端末装置１０の位置が店舗から所定の範囲内に到達している場合、非アクティブな電子クーポンを、アクティブな電子クーポンに切替える。
ステップＳ１０９：
広告配信装置２０は、切替えた電子クーポンに関する切替情報を切替情報記憶部３０２に記憶させる。
【００５２】
ステップＳ１１０：
広告配信装置２０は、ステップＳ１０６において、電子クーポンがアクティブであると判定した場合、端末装置１０から電子クーポンの利用を示す利用通知を待つ。
ステップＳ１１１：
広告配信装置２０は、端末装置１０から利用通知を取得した場合、利用通知から端末装置１０のセッションＩＤを取得する。
ステップＳ１１２：
広告配信装置２０は、電子クーポンを利用済みとする。例えば、広告配信装置２０は、利用された電子クーポンの内容に基づいて、１回のみ利用可能な電子クーポンが利用されたのであればその電子クーポンを無効とし、回数制限がある電子クーポンが利用された場合にはその電子クーポンの残りの利用可能な回数を１回減じる。
ステップＳ１１３：
広告配信装置２０は、端末装置１０に利用された電子クーポンに関する利用情報を利用情報記憶部３０３に記憶させる。
【００５３】
以上説明したように、第１の実施形態の広告配信装置２０においては、非アクティブな電子クーポンを受信した端末装置１０の現在位置を示す位置情報を取得する位置情報取得部２０２と、位置情報に基づいて、端末装置１０の現在位置が特定の場所から所定の範囲である切替領域に到達したか否かを判定する到達判定部２０３と、端末装置１０の現在位置が切替領域に到達したと判定された場合、非アクティブな電子クーポンをアクティブな電子クーポンに切替える切替部２０４を有する。
これにより、第１の実施形態の広告配信装置２０においては、端末装置１０が店舗に近づいた場合に電子クーポンをアクティブに切替えるため、ユーザの購買意欲を刺激し、配信した電子クーポンの効果を高めることができる。また、店舗側においては、ユーザの来店把握や集客のためにＷｉＦｉ設備やビーコンなどの特別な機器を設ける必要がない。
また、第１の実施形態の広告配信装置２０においては、電子クーポンを配信した端末装置１０の位置情報を取得するため、電子クーポンをアクティブに切り替えた位置を集計することでウェブサイト上の広告（例えば、キャンペーンサイトで配信した電子クーポン）の効果を把握することが可能である。また、ユーザ側は、電子クーポンを取得したり、ナビサービスを利用したりといった、自身の所望でキャンペーンサイトにアクセスするだけでよく、一定時間店舗に滞在したり電子クーポンを利用する意思を回答したりする手間を強いられることがないため、負担を感じることもない。さらに、店舗側においては、例えば広告配信装置２０の管理者により用意されたキャンペーンページにリンクを設定するだけでよく、販売促進や広告のための専用のアプリケーションを開発する必要がない。尚且つ、ユーザ側は、専用のアプリケーションをダウンロードする必要もない。なお、店舗側でキャンペーンページを用意するようにしてもよい。
【００５４】
また、第１の実施形態の広告配信装置２０においては、切替部２０４により非アクティブな電子クーポンが切替えられた場合、当該切替えられた電子クーポンが配信された日時を特定する配信時期特定部２０５を更に有する。これにより第１の実施形態の広告配信装置２０においては、どの時期に配信した電子クーポンが、何時何処でアクティブに切替えられたかを把握することができ、ウェブサイト上の広告の効果を詳細に把握することが可能である。
また、第１の実施形態の広告配信装置２０においては、アクティブに切替えられた電子クーポンが利用されたか否かを判定する利用判定部２０７を更に有する。これにより第１の実施形態の広告配信装置２０においては、アクティブに切替えられた電子クーポンが利用されたか否かを把握することができ、ウェブサイト上の広告の効果を詳細に把握することが可能である。
また、第１の実施形態の広告配信装置２０においては、端末装置１０により受信された電子クーポンが利用されたことを示す利用通知を取得する利用情報取得部２０６を更に有し、利用判定部２０７は、利用通知に基づいて電子クーポンが利用されたか否かを判定する。これにより第１の実施形態の広告配信装置２０においては、利用通知に基づいて容易に電子クーポンの利用を判定することができる。
また、第１の実施形態の広告配信装置２０においては、利用情報取得部２０６は、セッションＩＤを含む識別情報と共に表示された電子クーポンが撮像された画像の画像情報を取得し、利用判定部２０７は、識別情報からセッションＩＤを取得し、取得したセッションＩＤに基づいて、利用された電子クーポンが配信された日時を特定する。これにより第１の実施形態の広告配信装置２０においては、どの時期に配信した電子クーポンが、何時何処で利用されたかを把握することができ、ウェブサイト上の広告の効果を詳細に把握することが可能である。
【００５５】
＜第２の実施形態＞
次に、第２の実施形態について説明する。本実施形態では、端末装置１０が移動する軌跡（移動ログ）を記憶する点において、上述した実施形態と相違する。以下の説明にいては、上述した実施形態と相違するのみを説明し、上述した実施形態と同等の機能については同じ符号を付し、その説明を省略する。
【００５６】
図８は、第２の実施形態に係る広告配信システム１Ａの構成例を示すブロック図である。広告配信システム１Ａは、端末装置１０、広告配信装置２０Ａ、集計サーバ３０Ａおよび通信ネットワーク４０を有する。
広告配信装置２０Ａは、到達判定部２０３Ａ、および軌跡情報記憶制御部２０８を有する。集計サーバ３０Ａは、軌跡情報記憶部３０４を有する。
【００５７】
到達判定部２０３Ａは、端末装置１０の現在位置を示す位置情報に基づいて、端末装置１０が特定の場所に到達したか否かを判定する。ここでの特定の場所は、例えば、配信した電子クーポンが利用可能な店舗である。
【００５８】
ここで、既に述べたように、広告配信装置２０Ａは、端末装置１０が所定のキャンペーンサイトやナビゲーションサイトにアクセスしている間に、端末装置１０の位置情報を取得する。そして、店舗にて電子クーポンが利用されることにより、広告（電子クーポンを配信したこと）による効果を把握することができる。
【００５９】
反面、広告配信装置２０Ａは，端末装置１０がアクセスしていない場合には位置情報を取得することができない。例えば、ユーザがナビゲーションを利用して店舗に近づき、店舗まであと少しのところで、ナビゲーションを終了させた場合、終了させた後の位置情報を取得することができない。ナビサービスを終了させたユーザが、店舗で電子クーポンを利用すれば、その時点でキャンペーンサイトにアクセスするため、再び位置情報を取得できるが、ユーザが必ず電子クーポンを利用するとも限らない。
【００６０】
電子クーポンを取得するユーザの中には、電子クーポンを積極的に活用するユーザばかりではなく、電子クーポンを取得して来店したものの、実際には電子クーポンを利用しないユーザが多いことが判っている。このような、電子クーポンを利用しないユーザであっても、キャンペーンサイトで店舗の存在を知り、電子クーポンを取得することで興味をもって来店するのであれば、実際には電子クーポンを利用しなくとも、広告の効果があったと判定してよい。本実施形態では、このような、電子クーポンを取得し、興味を持って店舗を訪問したが、実際には電子クーポンを利用しなかったユーザの存在を認識することにより、潜在的な広告の効果を把握できるようにする。
【００６１】
具体的に、到達判定部２０３Ａは、端末装置１０が特定の場所に到達してない場合、端末装置１０における位置の軌跡、および特定の場所の位置に基づいて、端末装置１０が特定の場所に到達したか否かを推定する。
【００６２】
到達判定部２０３Ａは、例えば、端末装置１０の位置が、特定の場所から所定の範囲内まで近づいている場合には店舗に到達する目的で移動しているとみなして、端末装置１０が特定の場所に到達したと判定する。また、到達判定部２０３Ａは、端末装置１０の移動方向が、特定の場所の方向に沿っている場合には店舗に到達する目的で移動しているとみなして、端末装置１０が特定の場所に到達したと判定するようにしてもよい。また、到達判定部２０３Ａは、端末装置１０の平均的な移動速度が所定の速度以上である場合には、店舗に到達する目的で移動しているとみなして、端末装置１０が特定の場所に到達したと判定するようにしてもよい。このように、到達判定部２０３Ａは、端末装置１０の位置の軌跡に基づいて、端末装置１０の移動方向や移動速度を算出し、算出した移動方向や移動速度から端末装置１０が特定の場所に到達したか否かを判定する。
到達判定部２０３Ａは、判定結果を軌跡情報記憶制御部２０８に出力する。
【００６３】
軌跡情報記憶制御部２０８は、到達判定部２０３Ａにより端末装置１０が特定の場所に到達したと判定されたか、或いは端末装置１０が特定の場所に到達したと推定されたか否かに関わらず、端末装置１０における移動の軌跡を利用情報記憶部３０３に記憶させる。所定の開始位置は、例えば、端末装置１０がオウンドメディアコンテンツへアクセスした位置である。
軌跡情報記憶部３０４は、電子クーポンが配信された端末装置１０における移動の軌跡を記憶する。
【００６４】
ここで、軌跡情報記憶部３０４に記憶される情報について説明する。図９は、第２の実施形態に係る軌跡情報記憶部３０４に記憶される情報の構成例を示す図である。この例に示すように、軌跡情報記憶部３０４に記憶される情報は、例えば、「セッションＩＤ」、「端末情報」、「到達情報」、「軌跡情報」、「到達日時情報」、「到達時位置情報」、「切替日時情報」、「切替時位置情報」、「配信日時情報」、および「配信時位置情報」などの項目を有する。
「セッションＩＤ」は、端末装置１０が特定の場所に到達した際のオウンドメディアコンテンツへのアクセスに対応する端末装置１０を識別する識別情報を示す。
「端末情報」は、セッションＩＤに対応する端末装置１０の情報を示し、例えば、端末が利用するキャリアや、アクセス元のＩＰアドレス等の情報が含まれてよい。
「到達情報」、端末装置１０が特定の場所に到達したと判定されたか、或いは端末装置１０が特定の場所に到達したと推定されたか否かを示す。
「軌跡情報」は、端末装置１０における移動の軌跡に関する情報を示し、例えば、日時と、その日時に対応する位置情報とを時系列に示す情報が含まれてよい。また、軌跡情報には、実際に端末装置１０が店舗に到達した場合と、実際に端末装置１０が店舗に到達するまでの位置情報は取得されていないが、位置の軌跡から端末装置１０が店舗に到達したと推定された場合との両方の情報が含まれてよい。
「到達日時情報」は、端末装置１０が特定の場所に到達した日時を示す情報である。ここでの日時は、例えば、年月日、および時刻である。
「到達時位置情報」は、端末装置１０が特定の場所に到達した時の端末装置１０の位置を示す。ここでの位置は、例えば、住所や緯度経度によって示される。
なお、端末装置１０が特定の場所に到達しない場合、「到達日時情報」および「到達時位置情報」には情報が記憶されない。或いは、特定の場所に最も近づいた日時や位置を示す情報が記憶されてもよい。
「切替日時情報」は、特定の場所に到達した端末装置１０に配信された電子クーポンが、アクティブな電子クーポンに切替えられた日時を示す。
「切替時位置情報」は、特定の場所に到達した端末装置１０に配信された電子クーポンが、アクティブな電子クーポンに切替えられた時の端末装置１０の位置を示す。
「配信日時情報」は、特定の場所に到達した端末装置１０に配信された電子クーポンが、非アクティブな電子クーポンとして配信された日時を示す。
「配信時位置情報」は、特定の場所に到達した端末装置１０に配信された電子クーポンが、非アクティブな電子クーポンとして配信された時の端末装置１０の位置を示す。なお、軌跡情報記憶部３０４には、この例で示した全ての項目に対応する情報が記憶されていなくともよく、また、例示していない他の情報が記憶されてもよい。
【００６５】
ここで、広告配信装置２０Ａが行う処理について説明する。図１０は、第２の実施形態に係る広告配信装置２０Ａが行う処理を説明する図である。図１０（ａ）は電子クーポンの切替えと端末装置１０の位置の関係、図１０（ａ）はナビサービスと端末装置１０の位置の関係を模式的に示している。図１０（ａ）および（ｂ）の横軸は時間の経過を示している。
【００６６】
図１０（ａ）では、時刻Ｔ０において、店舗から所定の範囲内ではない位置（この例では、移動中と記載）にいる端末装置１０からキャンペーンサイトにアクセスがあり、電子クーポンは非アクティブな状態であったことを示している。また、時刻Ｔ１において端末装置１０の位置が店舗から所定の範囲内に到達し、電子クーポンはアクティブな状態に切替えられ、時刻Ｔ２において端末装置１０が店舗に到達し、時刻Ｔ３において電子クーポンが利用された場合を示している。
広告配信装置２０Ａは、端末装置１０からキャンペーンサイトにアクセスがあった時点から位置情報を取得する。そして、広告配信装置２０Ａは、端末装置１０が店舗に到達した場合、店舗に到達するまでの軌跡を軌跡情報記憶部３０４に記憶させる。つまり、この例では、時刻Ｔ０から時刻Ｔ２までの軌跡が軌跡情報記憶部３０４に記憶される。
【００６７】
図１０（ｂ）では、時刻Ｔ０において、端末装置１０からナビゲーションサイトにアクセスがあったことを示している。そして、時刻Ｔ５において端末装置１０の位置が店舗に到達する前にナビゲーションサイトへのアクセスを終了させた場合を示している。
【００６８】
広告配信装置２０Ａは、端末装置１０からナビゲーションサイトにアクセスがあった時点から位置情報を取得する。そして、広告配信装置２０Ａは、端末装置１０が店舗に到達する前にナビゲーションサイトへアクセスを終了させた場合、終了時までの端末装置１０の位置の軌跡に基づいて、端末装置１０が店舗に到達したか否かを推定する。そして、広告配信装置２０Ａは、端末装置１０が店舗に到達したと判定した場合、その軌跡を軌跡情報記憶部３０４に記憶させる。つまり、この例では、時刻Ｔ０から時刻Ｔ５までの軌跡が軌跡情報記憶部３０４に記憶される。
【００６９】
ここで、第２の実施形態に係る広告配信装置２０Ａが行う動作について説明する。図１１は、第２の実施形態に係る広告配信装置２０Ａが行う動作を示すフローチャートである。ここで、本フローチャートのステップＳ２００およびＳ２０１に示す処理は、図７のフローチャートのステップＳ１００およびＳ１０１に示す処理と同様であるため、その説明を省略する。
【００７０】
ステップＳ２０２：
広告配信装置２０Ａは、端末装置１０の位置情報を取得し、取得した位置情報に基づいて、端末装置１０の位置が店舗に到達したか否かを判定する。
ステップＳ２０３：
広告配信装置２０Ａは、端末装置１０が店舗に到達したと判定する。そして、広告配信装置２０Ａは、端末装置１０が店舗に到達するまでの軌跡を軌跡情報記憶部３０４に記憶させる。
【００７１】
ステップＳ２０４：
広告配信装置２０Ａは、端末装置１０が店舗に到達していないと判定した場合、端末装置１０が店舗から所定の範囲内に近づいたか否かを判定する。
ステップＳ２０５：
広告配信装置２０Ａは、端末装置１０が店舗から所定の範囲内に近づいたと判定した場合、端末装置１０の移動方向が端末装置１０の位置から店舗への方向に沿っているか否かを判定する。
ステップＳ２０６：
広告配信装置２０Ａは、端末装置１０の移動方向が店舗への方向に沿っていると判定した場合、端末装置１０の平均的な移動速度が所定の速度以上か否かを判定する。そして、広告配信装置２０Ａは、端末装置１０の平均的な移動速度が所定の速度以上であると判定した場合、ステップＳ２０３に示す処理に移行し、端末装置１０が店舗に到達したと判定する。そして、広告配信装置２０Ａは、端末装置１０における移動の軌跡を軌跡情報記憶部３０４に記憶させる。
【００７２】
一方、広告配信装置２０Ａは、ステップＳ２０４において端末装置１０が店舗から所定の範囲内に近づいていないと判定した場合、ステップＳ２０５において端末装置１０の移動方向が店舗への方向に沿っていないと判定した場合、ステップＳ２０６において端末装置１０の平均的な移動速度が所定の速度未満であると判定した場合、端末装置１０が店舗に到達しないと判定する。そして、広告配信装置２０Ａは、端末装置１０の軌跡情報を軌跡情報記憶部３０４に記憶させ、処理を終了させる。
【００７３】
なお、上述したフローチャートでは、ステップＳ２０４〜Ｓ２０６に示す判定の条件を全て充足した場合に、端末装置１０の軌跡情報を記憶させる場合を例示して説明したが、これに限定されることはない。広告配信装置２０Ａは、ステップＳ２０４〜Ｓ２０６に示す判定の条件のうち少なくとも１つの条件を充足する場合に端末装置１０の軌跡情報を記憶させるようにしてもよいし、ステップＳ２０４〜Ｓ２０６に示す判定の条件のうちいずれか２つの条件を充足する場合に端末装置１０の軌跡情報を記憶させるようにしてもよい。
【００７４】
以上説明したように、第２の実施形態の広告配信装置２０Ａにおいては、到達判定部２０３は、端末装置１０の位置情報に基づいて、端末装置１０が特定の場所（例えば、配信した電子クーポンが利用可能な店舗）に到達したか否かを判定し、端末装置１０が店舗に到達したと判定された場合、端末装置１０が店舗に到達するまでの軌跡を軌跡情報記憶部３０４に記憶させる軌跡情報記憶制御部２０８を有する。これにより、第２の実施形態の広告配信装置２０においては、電子クーポンを取得した端末装置１０が店舗に到達するまでの軌跡を取得することができ、如何なる領域から如何なる軌跡で店舗に到達したかを分析すれば、広告の効果を詳細に把握することが可能である。
【００７５】
また、第２の実施形態の広告配信装置２０Ａにおいては、到達判定部２０３Ａは、端末装置１０が特定の場所に到達する前における端末装置１０の位置の軌跡及び特定の場所の位置に基づいて、端末装置１０が特定の場所に到達したか否かを推定する。これにより、第２の実施形態の広告配信装置２０においては、ナビゲーションサイトにより店舗までの案内を利用したユーザが、店舗に到達する前にサイトへのアクセスを終了させたり、実際には店舗で電子クーポンを利用しなかったりするユーザがいた場合でも、その移動の途中までの軌跡に基づいて、端末装置１０が店舗に到達したか否かを判定することができ、潜在的なユーザを認識して、広告の効果を詳細に把握することが可能である。
【００７６】
なお、上述した実施形態においては、端末装置１０がオウンドメディアコンテンツにアクセスしている間に、広告配信装置２０（２０Ａ）が位置情報を取得する場合を例示して説明したが、ユーザ側で自身の端末装置１０の位置情報が取得されることを拒否する場合も考えられる。この場合、広告配信装置２０（２０Ａ）は、端末装置１０の位置情報を取得することができない。
【００７７】
この対策として、例えば、広告配信装置２０（２０Ａ）は、位置情報が取得されることを拒否したユーザに対しては、非アクティブな電子クーポンを配信する代わりに、所定のＱＲ（Ｑｕｉｃｋ  Ｒｅｓｐｏｎｓｅ）コード（所謂二次元コード）（登録商標）を配信する。ここで所定のＱＲコードには、広告配信装置２０（２０Ａ）が管理する所定のＵＲＬ、端末装置１０のセッションＩＤ、クーポンの特典や、クーポンを利用可能な店舗などの情報が含まれる。
【００７８】
端末装置１０の表示画面には、例えば、非アクティブな電子クーポンを表示させるページとは異なる別ページに、所定のＱＲコードと、「店舗でお店の人に見せてください。そうしたらクーポン利用できます」等、クーポンが利用できる旨のメッセージを表示させる。
店舗にて、ユーザが、所定のＱＲコードが表示された端末装置１０の表示画面を提示すると、店舗側の装置で所定のＱＲコードを読み取るか、或いは所定のＱＲコードを撮像する。これにより、ユーザは、店舗にてクーポンの特典を利用することができる。また、店舗側では、ＱＲコードに示される所定のＵＲＬにアクセスする。これにより、広告配信装置２０（２０Ａ）は、ＱＲコードの画像、または読み取ったＱＲコードの内容を取得することができ、ユーザによりクーポンが利用されたことを把握する。
【００７９】
或いは、広告配信装置２０（２０Ａ）は、位置情報が取得されることを拒否したユーザに対して、ＱＲコードを配信せず、「店にてキャンペーンポスターを掲載しています。この画面からポスターのＱＲコードを読み取るとクーポン利用できます」等、特定の表示画面からＱＲコードを読み取ると、クーポンが利用できる旨のメッセージを表示させるようにしてもよい。
店舗にて、ユーザが、特定の表示画面から店内に掲示された販促ポスターに記載されたＱＲコードを読み取ると、端末装置１０は、ＱＲコードに示される所定のＵＲＬにアクセスする。このアクセスに対する応答として、広告配信装置２０（２０Ａ）は、端末装置１０に電子クーポンを配信する。端末装置１０は、配信された電子クーポンを店舗側に提示することで、電子クーポンを利用することができる。また、広告配信装置２０（２０Ａ）は、端末装置１０により所定のＵＲＬにアクセスされることにより、端末装置１０のセッションＩＤ等を取得し、取得したセッションＩＤに対応するユーザによりクーポンが利用されたことを把握する。
【００８０】
図１２は、位置情報が取得されることを拒否したユーザに対して広告配信システム１（１Ａ）が行う処理の流れを示すフローチャートである。
ステップＳ３００：
端末装置１０が、店舗に到達する。
ステップＳ３０１：
端末装置１０のユーザが位置情報の取得を拒否しているため、端末装置１０から広告配信装置２０（２０Ａ）に位置情報は通知されない。
ステップＳ３０２：
広告配信装置２０（２０Ａ）は、Ｗｅｂカメラページを端末装置１０に配信する。ここでの、Ｗｅｂカメラページは、店舗内に掲示されたポスターに表示されたＱＲコードを読取るページである。
【００８１】
ステップＳ３０３：
端末装置１０には、広告配信装置２０から配信されたＷｅｂカメラページが表示される。ユーザは、端末装置１０のＷｅｂカメラページからＱＲコードを読み取り、ＱＲコードに示される所定のＵＲＬにアクセスする。
ステップＳ３０４：
広告配信装置２０（２０Ａ）は、端末装置１０により所定のＵＲＬにアクセスされることにより、端末装置１０がいる店舗の店舗コード、および端末装置１０のセッションＩＤ等を取得する。これにより、広告配信装置２０（２０Ａ）は、何れの端末装置１０が店舗に到達したかを把握する。そして、広告配信装置２０（２０Ａ）は、端末装置１０に電子クーポンを配信する。
ステップＳ３０５：
端末装置１０には、広告配信装置２０（２０Ａ）から配信された電子クーポンを表示される。
【００８２】
ステップＳ３０６：
ユーザは、例えば、電子クーポンが表示された表示画面を店舗のスタッフ５０に提示し、クーポンを利用する旨を告げる。
ステップＳ３０７：
店舗側のスタッフ５０は、ユーザからの旨の申し出に応じて、表示画面にある「クーポンを利用する」旨が記載されたボタンを押下する。
ステップＳ３０８：
端末装置１０の表示画面には、例えば、「本当にクーポンを利用しますか」などの確認を行うダイアログが表示される。
ステップＳ３０９：
店舗側のスタッフ５０が、当該ダイアログに対して「ＯＫ」など了解を示すボタンを押下すると、端末装置１０から広告配信装置２０（２０Ａ）に、電子クーポンが利用された旨が通知される。店舗側のスタッフ５０は、ユーザに対して、電子クーポンの利用に対応するサービスを提供する。
ステップＳ３１０：
広告配信装置２０（２０Ａ）は、当該通知に含まれるセッションＩＤ及び店舗コードを取得する。
ステップＳ３１１：
広告配信装置２０（２０Ａ）は、に基づいて、取得したセッションＩＤ及び店舗コードに基づいて、何れの端末装置１０に配信した電子クーポンが利用されたかを把握する。広告配信装置２０（２０Ａ）は、端末装置１０に電子クーポンが利用された旨を通知する。
ステップＳ３１２：
端末装置１０の表示画面には、電子クーポンが利用されたことを示す「クーポン使用済み」の文字や画像が表示される。
【００８３】
また、上述した実施形態においては、電子クーポンが配信されるフェーズ、電子クーポンがアクティブに切替えられるフェーズ、電子クーポンが利用されるフェーズの各々において、端末装置１０と広告配信装置２０（２０Ａ）との通信において同一のセッションＩＤが用いられる場合を例示して説明した。しかしながら、各フェーズにおいて、ウェブブラウザ上で動作するアプリケーション（所謂ウェブアプリ）と、ウェブブラウザを介さない専用のアプリケーション（所謂スマホアプリ等）との間で各フェーズに対応するページの遷移が行われる場合がある。この場合、各フェーズにおける、ウェブアプリとの通信と、スマホアプリとの通信には互いに異なるセッションＩＤが割り当てられてしまうため各フェーズにおけるセッションＩＤが引き継がれない。この場合、各フェーズにおける対応関係が不明となるため、何時何処で配信された電子クーポンが、何時何処で利用されたかを把握することが困難となる。
【００８４】
この対策として、例えば、広告配信装置２０（２０Ａ）は、端末装置１０の操作により、ウェブアプリのページとスマホアプリのページとを相互に遷移するような場合には、遷移元のページから遷移先のページに、セッションＩＤを含むパラメータを引き渡す。これにより、各フェーズにおけるセッションＩＤが引き継がれるようにする。
【００８５】
なお、ウェブアプリとスマホアプリとの間に限定せず、ウェブアプリ、或いはスマホアプリ内においてページを遷移する場合であってもセッションＩＤを引き渡すようにしてもよい。こうすることで、端末装置１０が再起動される等してセッションＩＤが消去された場合であっても、引き継いだセッションＩＤを用いてユーザを特定することが可能となる。
【００８６】
具体的には、広告配信装置２０（２０Ａ）は、広告配信装置２０（２０Ａ）における全てのページに対応するリクエストＵＲＬに、セッションＩＤを必須のパラメータとして設定する。これにより、ウェブアプリやスマホアプリ（外部）から広告配信装置２０（２０Ａ）にアクセスする際には、セッションＩＤを含んだメッセージが広告配信装置２０（２０Ａ）に送信され、広告配信装置２０（２０Ａ）は、外部からアクセスされる度にセッションＩＤを取得することが可能となる。
なお、広告配信装置２０は、ＵＲＬリクエストにはＰＯＳＴリクエストを使用するようにしてよい。これにより、外部からセッションＩＤが変更されたり、ブックマークに保存されたりして悪意ある通信にセッションＩＤが利用されることがないようにする。
【００８７】
上述した実施形態における広告配信装置２０（２０Ａ）の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００８８】
以上、この発明の実施形態について図面を参照して詳述してきたが、具体的な構成はこの実施形態に限られるものではなく、この発明の要旨を逸脱しない範囲の設計等も含まれる。
【符号の説明】
【００８９】
１…広告配信システム
１０…端末装置
２０…広告配信装置
２０１…配信部
２０２…位置情報取得部
２０３…到達判定部
２０４…切替部
２０５…配信時期特定部
２０６…利用情報取得部
２０７…利用判定部
２０８…軌跡情報記憶制御部
３０…集計サーバ
３０１…配信情報記憶部
３０２…切替情報記憶部
３０３…利用情報記憶部
３０４…軌跡情報記憶部
４０…通信ネットワーク
【図１】
2020008900.tif 000003
【図２】
2020008900.tif 000004
【図３】
2020008900.tif 000005
【図４】
2020008900.tif 000006
【図５】
2020008900.tif 000007
【図６】
2020008900.tif 000008
【図７】
2020008900.tif 000009
【図８】
2020008900.tif 000010
【図９】
2020008900.tif 000011
【図１０】
2020008900.tif 000012
【図１１】
2020008900.tif 000013
【図１２】
2020008900.tif 000014